【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
基地局のワイヤレス通信の方法であって、
ユーザ機器（ＵＥ）からダウンリンク信号測定値を受信することと、
前記ダウンリンク信号測定値に基づいて前記ＵＥのためのカバレッジクラスを決定することと、
前記ＵＥに対応する特定の数字を検索することと、
前記特定の数字に基づいて前記カバレッジクラス内のリソースブロックを決定することと、
デバイス特有の制御メッセージを生成することと、
前記リソースブロックを使用して、前記ＵＥへ前記デバイス特有の制御メッセージを送信することと、
を備える、方法。
【請求項２】
前記特定の数字を前記検索することは、前記ＵＥからチャネル要求を受信することを備え、前記チャネル要求は、前記特定の数字を備える、請求項１に記載の方法。
【請求項３】
前記リソースブロックを前記決定することは、ハッシュ関数を使用して、前記特定の数字を、前記カバレッジクラス内のリソースブロック番号へマップすることをさらに備え、ここにおいて、前記リソースブロック番号は、前記リソースブロックを識別する、請求項１に記載の方法。
【請求項４】
前記特定の数字を前記検索することは、前記ＵＥへ前記特定の数字を割り当てることを備える、請求項１に記載の方法。
【請求項５】
前記リソースブロックが別のＵＥによって使用されることに応答して、前記リソースブロックの時間において直前または直後である隣接のリソースブロックを使用して、前記デバイス特有の制御メッセージを前記ＵＥへ送信すること、
をさらに備える、請求項１に記載の方法。
【請求項６】
前記特定の数字に基づいて前記リソースブロックを前記決定することは、前記特定の数字に基づいて、複数のリソースブロックを決定することを備え、
前記方法は、前記複数のリソースブロックから、１つのリソースブロックを選択することをさらに備え、
前記デバイス特有の制御メッセージを前記送信することは、前記１つのリソースブロックを使用して、前記ＵＥへ、前記デバイス特有の制御メッセージを送信することを備える、請求項１に記載の方法。
【請求項７】
前記リソースブロックが別のＵＥによって使用されることに応答して、予約されたリソースブロックを使用して、前記デバイス特有の制御メッセージを前記ＵＥへ送信すること、
をさらに備える、請求項１に記載の方法。
【請求項８】
ユーザ機器（ＵＥ）のワイヤレス通信の方法であって、
基地局からのダウンリンク信号のメトリックを測定することと、
前記基地局へ前記測定されたメトリックを送信することと、
前記測定されたメトリックに基づいてダウンリンク共通制御チャネルカバレッジクラスを決定することと、
特定の数字を検索することと、
前記特定の数字に基づいて、前記ＵＥのための前記カバレッジクラス内のリソースブロックを決定することと、
基地局からのデバイス特有の制御メッセージのために前記リソースブロックをモニタすることと、
を備える、方法。
【請求項９】
前記特定の数字を前記検索することは、前記基地局から前記特定の数字を受信することを備える、請求項８に記載の方法。
【請求項１０】
前記リソースブロックを前記決定することは、ハッシュ関数を使用して、前記特定の数字を、前記カバレッジクラス内のリソースブロック番号へマップすることをさらに備え、ここにおいて、前記リソースブロック番号は、前記リソースブロックを識別する、請求項８に記載の方法。
【請求項１１】
前記デバイス特有の制御メッセージのために前記リソースブロックの時間において直前または直後である隣接のリソースブロックをモニタすること、
をさらに備える、請求項８に記載の方法。
【請求項１２】
前記特定の数字に基づいて、前記ＵＥのための前記リソースブロックを前記決定することは、前記特定の数字に基づいて、複数のリソースブロックを決定することを備え、
前記リソースブロックを前記モニタすることは、前記基地局からの前記デバイス特有の制御メッセージのために前記複数のリソースブロックをモニタすることを備える、請求項８に記載の方法。
【請求項１３】
前記デバイス特有の制御メッセージのために、予約されたリソースブロックをモニタすること、
をさらに備える、請求項８に記載の方法。
【請求項１４】
ワイヤレス通信のための装置であって、
メモリと、
前記メモリに結合され、
ユーザ機器（ＵＥ）からダウンリンク信号測定値を受信することと、
前記ダウンリンク信号測定値に基づいて前記ＵＥのためのカバレッジクラスを決定することと、
前記ＵＥに対応する特定の数字を検索することと、
前記特定の数字に基づいて前記カバレッジクラス内のリソースブロックを決定することと、
デバイス特有の制御メッセージを生成することと、
前記リソースブロックを使用して、前記ＵＥへ前記デバイス特有の制御メッセージを送信することと、
を行うように構成された少なくとも１つのプロセッサと、
を備える、装置。
【請求項１５】
ワイヤレス通信のための装置であって、前記装置はユーザ機器（ＵＥ）であり、
メモリと、
前記メモリに結合され、
基地局からのダウンリンク信号のメトリックを測定することと、
前記基地局へ前記測定されたメトリックを送信することと、
前記測定されたメトリックに基づいてダウンリンク共通制御チャネルカバレッジクラスを決定することと、
特定の数字を検索することと、
前記特定の数字に基づいて、前記ＵＥのための前記カバレッジクラス内のリソースブロックを決定することと、
基地局からのデバイス特有の制御メッセージのために前記リソースブロックをモニタすることと、
を行うように構成された少なくとも１つのプロセッサと、
を備える、装置。
【手続補正２】
【補正対象書類名】明細書
【補正対象項目名】０１０４
【補正方法】変更
【補正の内容】
【０１０４】
[0119]前述した説明は、いかなる当業者であっても、本明細書に記述された様々な態様を実現することができるように提供される。これら態様に対する様々な変形は、当業者に容易に明らかになり、本明細書で定義された一般的な原理は、他の態様へ適用され得る。したがって、特許請求の範囲は、本明細書において図示された態様に限定されることは意図されないが、特許請求の範囲の文言と一貫性を持つすべての範囲が与えられるべきであり、ここにおいて、単数形での要素への参照は、具体的にそう述べられていない限り、「１つおよび唯一」を意味するのではなく、むしろ「１つまたは複数」を意味することが意図される。「典型的な」という用語は、本明細書において、「例、事例、または例示として役立つ」ことを意味するために使用される。本明細書において「典型的な」と記述されている任意の態様は、必ずしも、他の態様よりも好適である、または、有利であると解釈されるべきではない。特に明記されていない限り、「いくつか」という用語は、１つまたは複数を称する。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」のような組合せは、Ａ、Ｂ、および／またはＣの任意の組合せを含み、複数のＡ、複数のＢ、または複数のＣを含み得る。具体的に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」のような組合せは、Ａのみ、Ｂのみ、Ｃのみ、ＡとＢ、ＡとＣ、ＢとＣ、またはＡとＢとＣであり得、ここで、このようなどの組合せも、Ａ、Ｂ、またはＣのうちの１つまたは複数のメンバを含み得る。当業者に知られているか、または、後に知られることになるこの開示を通じて説明された様々な態様の要素に対するすべての構造的および機能的な等価物が、参照によって本明細書に明確に組み込まれており、特許請求の範囲に包含されると意図される。さらに、本明細書で開示された何れも、このような開示が特許請求の範囲において明示的に述べられているかどうかに関わらず、公衆に対してささげられた（be dedicated）ものとは意図されていない。特許請求の範囲の要素が、「〜するための手段」という文言を用いて明示的に示されていないのであれば、特許請求の範囲の何れの要素も、ミーンズプラスファンクション（ｍｅａｎｓ  ｐｌｕｓ  ｆｕｎｃｔｉｏｎ）として解釈されるべきではない。
以下に、本願出願の当初の特許請求の範囲に記載された発明を付記する。
［Ｃ１］
ワイヤレス通信の方法であって、
ユーザ機器（ＵＥ）に対応する特定の数字を検索することと、
前記特定の数字に基づいてリソースブロックを決定することと、
前記リソースブロックを使用して、前記ＵＥへデバイス特有の制御メッセージを送信することと、
を備える、方法。
［Ｃ２］
前記リソースブロックを前記決定することは、カバレッジクラス内の前記リソースブロックを決定することを備える、Ｃ１に記載の方法。
［Ｃ３］
前記特定の数字を前記検索することは、前記ＵＥからチャネル要求を受信することを備え、前記チャネル要求は、前記特定の数字を備える、Ｃ２に記載の方法。
［Ｃ４］
前記リソースブロックを前記決定することは、ハッシュ関数を使用して、前記特定の数字を、前記カバレッジクラス内のリソースブロック番号へマップすることをさらに備え、ここにおいて、前記リソースブロック番号は、前記リソースブロックを識別する、Ｃ２に記載の方法。
［Ｃ５］
前記ハッシュ関数は、前記リソースブロック番号を、前記特定の数字の、前記カバレッジクラスのために利用可能なリソースブロックの数による除算の余りとして定義する、Ｃ４に記載の方法。
［Ｃ６］
前記特定の数字を前記検索することは、前記ＵＥへ前記特定の数字を割り当てることを備える、Ｃ１に記載の方法。
［Ｃ７］
前記リソースブロックが別のＵＥによって使用されることに応答して、前記リソースブロックの時間において直前または直後である隣接のリソースブロックを使用して、前記デバイス特有の制御メッセージを前記ＵＥへ送信すること、
をさらに備える、Ｃ１に記載の方法。
［Ｃ８］
前記特定の数字に基づいて前記リソースブロックを前記決定することは、前記特定の数字に基づいて、複数のリソースブロックを決定することを備え、
前記方法は、前記複数のリソースブロックから、１つのリソースブロックを選択することをさらに備え、
前記デバイス特有の制御メッセージを前記送信することは、前記１つのリソースブロックを使用して、前記ＵＥへ、前記デバイス特有の制御メッセージを送信することを備える、Ｃ１に記載の方法。
［Ｃ９］
前記リソースブロックが別のＵＥによって使用されることに応答して、予約されたリソースブロックを使用して、前記デバイス特有の制御メッセージを前記ＵＥへ送信すること、
をさらに備える、Ｃ１に記載の方法。
［Ｃ１０］
ユーザ機器（ＵＥ）のワイヤレス通信の方法であって、
特定の数字を検索することと、
前記特定の数字に基づいて、前記ＵＥのためのリソースブロックを決定することと、
基地局からのデバイス特有の制御メッセージのために前記リソースブロックをモニタすることと、
を備える、方法。
［Ｃ１１］
前記特定の数字を前記検索することは、前記基地局から前記特定の数字を受信することを備える、Ｃ１０に記載の方法。
［Ｃ１２］
前記リソースブロックを前記決定することは、カバレッジクラス内の前記リソースブロックを決定することを備える、Ｃ１０に記載の方法。
［Ｃ１３］
前記リソースブロックを前記決定することは、ハッシュ関数を使用して、前記特定の数字を、前記カバレッジクラス内のリソースブロック番号へマップすることをさらに備え、ここにおいて、前記リソースブロック番号は、前記リソースブロックを識別する、Ｃ１２に記載の方法。
［Ｃ１４］
前記デバイス特有の制御メッセージのために前記リソースブロックの時間において直前または直後である隣接のリソースブロックをモニタすること、
をさらに備える、Ｃ１０に記載の方法。
［Ｃ１５］
前記特定の数字に基づいて、前記ＵＥのための前記リソースブロックを前記決定することは、前記特定の数字に基づいて、複数のリソースブロックを決定することを備え、
前記リソースブロックを前記モニタすることは、前記基地局からの前記デバイス特有の制御メッセージのために前記複数のリソースブロックをモニタすることを備える、Ｃ１０に記載の方法。
［Ｃ１６］
前記デバイス特有の制御メッセージのために、予約されたリソースブロックをモニタすること、
をさらに備える、Ｃ１０に記載の方法。
［Ｃ１７］
ワイヤレス通信のための装置であって、
メモリと、
前記メモリに結合され、
ユーザ機器（ＵＥ）に対応する特定の数字を検索することと、
前記特定の数字に基づいてリソースブロックを決定することと、
前記リソースブロックを使用して、前記ＵＥへデバイス特有の制御メッセージを送信することと、
を行うように構成された少なくとも１つのプロセッサと、
を備える、装置。
［Ｃ１８］
前記リソースブロックを決定するために、前記少なくとも１つのプロセッサは、カバレッジクラス内の前記リソースブロックを決定するように構成された、Ｃ１７に記載の装置。
［Ｃ１９］
前記特定の数字を検索するために、前記少なくとも１つのプロセッサは、前記ＵＥからチャネル要求を受信するように構成され、前記チャネル要求は、前記特定の数字を備える、Ｃ１８に記載の装置。
［Ｃ２０］
前記リソースブロックを決定するために、前記少なくとも１つのプロセッサは、ハッシュ関数を使用して、前記特定の数字を、前記カバレッジクラス内のリソースブロック番号へマップするようにさらに構成され、ここにおいて、前記リソースブロック番号は、前記リソースブロックを識別する、Ｃ１８に記載の装置。
［Ｃ２１］
前記ハッシュ関数は、前記リソースブロック番号を、前記特定の数字の、前記カバレッジクラスのために利用可能なリソースブロックの数による除算の余りとして定義する、Ｃ２０に記載の装置。
［Ｃ２２］
前記少なくとも１つのプロセッサは、前記リソースブロックが別のＵＥによって使用されることに応答して、前記リソースブロックの時間において直前または直後である隣接のリソースブロックを使用して、前記デバイス特有の制御メッセージを前記ＵＥへ送信する
ようにさらに構成された、Ｃ１７に記載の装置。
［Ｃ２３］
前記少なくとも１つのプロセッサは、前記リソースブロックが別のＵＥによって使用されることに応答して、予約されたリソースブロックを使用して、前記デバイス特有の制御メッセージを前記ＵＥへ送信する
ようにさらに構成された、Ｃ１７に記載の装置。
［Ｃ２４］
前記特定の数字に基づいて前記リソースブロックを決定するために、前記少なくとも１つのプロセッサは、前記特定の数字に基づいて、複数のリソースブロックを決定することと、前記複数のリソースブロックから、１つのリソースブロックを選択することと、を行うようにさらに構成され、
前記デバイス特有の制御メッセージを送信するために、前記少なくとも１つのプロセッサは、前記１つのリソースブロックを使用して、前記ＵＥへ、前記デバイス特有の制御メッセージを送信するようにさらに構成される、Ｃ１７に記載の装置。
［Ｃ２５］
ワイヤレス通信のための装置であって、前記装置はユーザ機器（ＵＥ）であり、
メモリと、
前記メモリに結合され、
特定の数字を検索することと、
前記特定の数字に基づいて、前記ＵＥのためのリソースブロックを決定することと、
基地局からのデバイス特有の制御メッセージのために前記リソースブロックをモニタすることと、
を行うように構成された少なくとも１つのプロセッサと、
を備える、装置。
［Ｃ２６］
前記リソースブロックを決定するために、前記少なくとも１つのプロセッサは、カバレッジクラス内の前記リソースブロックを決定するように構成された、Ｃ２５に記載の装置。
［Ｃ２７］
前記リソースブロックを決定するために、前記少なくとも１つのプロセッサは、ハッシュ関数を使用して、前記特定の数字を、前記カバレッジクラス内のリソースブロック番号へマップするようにさらに構成され、ここにおいて、前記リソースブロック番号は、前記リソースブロックを識別する、Ｃ２６に記載の装置。
［Ｃ２８］
前記少なくとも１つのプロセッサは、前記デバイス特有の制御メッセージのために前記リソースブロックの時間において直前または直後である隣接のリソースブロックをモニタする
ようにさらに構成された、Ｃ２５に記載の装置。
［Ｃ２９］
前記特定の数字に基づいて、前記ＵＥのための前記リソースブロックを決定するために、前記少なくとも１つのプロセッサは、前記特定の数字に基づいて、複数のリソースブロックを決定するようにさらに構成され、
前記リソースブロックをモニタするために、前記少なくとも１つのプロセッサは、前記基地局からの前記デバイス特有の制御メッセージのために前記複数のリソースブロックをモニタするように構成された、Ｃ２５に記載の装置。
［Ｃ３０］
前記少なくとも１つのプロセッサは、前記デバイス特有の制御メッセージために、予約されたリソースブロックをモニタする
ようにさらに構成された、Ｃ２５に記載の装置。